(57)【要約】【課題】目標サイズの開口を天井ボードに設けることができるカッターガイドを得る。【解決手段】１辺が所定の長さを有する正方形の板であるベース板１１と、ベース板１１に取り付けられた取手２１と、１辺の長さがベース板１１より短い正方形の板であり、外周を構成する辺がベース板１１の外周を構成する辺と平行になるようにベース板１１に固定され、ベース板１１の外周から所定の距離だけ内側となる位置に段差を形成するプレート３１とを備える。【選択図】図１
2018123605.tif 000002
【特許請求の範囲】
【請求項１】
１辺が所定の長さを有する正方形の板であるベース板と、
前記ベース板に取り付けられた取手と、
１辺の長さが前記ベース板より短い正方形の板であり、外周を構成する辺が前記ベース板の外周を構成する辺と平行になるように前記ベース板に固定され、前記ベース板の外周から所定の距離だけ内側となる位置に段差を形成するプレートと
を備えたカッターガイド。
【請求項２】
前記ベース板および前記プレートは、前記ベース板および前記プレートを同軸で貫通する複数のネジ穴を有することを特徴とする請求項１記載のカッターガイド。
【請求項３】
前記ベース板は、前記ベース板の四隅における、前記ベース板の外周から所定の距離だけ内側となる位置に形成されたケガキ用スリットを有することを特徴とする請求項１記載のカッターガイド。
【請求項４】
前記ベース板は、前記ベース板の外周を構成する辺のうち、互いに直交する２辺のそれぞれに、当該２辺の交点から所定の距離だけ離れた位置に形成されたスリットを有し、
前記プレートは、前記スリットの幅方向両側であり、前記スリットから所定の距離だけ離れた位置に段差を形成する切り欠き部を有することを特徴とする請求項１記載のカッターガイド。
【請求項５】
長手方向の辺および短手方向の辺が、それぞれ所定の長さを有する長方形の板であるベース板と、
前記ベース板に取り付けられた取手と、
長手方向の辺および短手方向の辺が、それぞれ前記ベース板より短い長方形の板であり、長手方向の１辺の側面が、前記ベース板の長手方向の１辺の側面と同一面となるように前記ベース板に固定され、前記同一面となる１辺以外の３辺が、前記ベース板の外周から所定の距離だけ内側となる位置に段差を形成するプレートと
を備えたカッターガイド。
【請求項６】
前記ベース板および前記プレートは、前記ベース板および前記プレートを同軸で貫通する複数のネジ穴を有し、前記複数のネジ穴のうち、前記ベース板および前記プレートの長手方向中央となる位置であって、前記同一面側に位置するネジ穴を回転軸穴とすることを特徴とする請求項５記載のカッターガイド。
【請求項７】
前記ベース板および前記プレートは、１部材で構成されていることを特徴とする請求項１または請求項５記載のカッターガイド。
【請求項８】
前記ベース板および前記プレートはそれぞれ、互いに連通する中空部を有することを特徴とする請求項１または請求項５記載のカッターガイド。
【発明の詳細な説明】
【技術分野】
【０００１】
この発明は、天井ボード等をカッターで切断する際に使用するカッターガイドに関するものである。
【背景技術】
【０００２】
建物の天井には、天井裏にある設備等を点検するための出入口となる点検口が設置される。点検口を設置する際には、開口を天井ボードに設ける必要がある。開口を天井ボードに設ける際に使用される器具には、特許文献１に開示されている線引用抜型定規がある。線引用抜型定規（以下、定規という）は、ずれのない線を天井ボードに引くための器具である。
【先行技術文献】
【特許文献】
【０００３】
【特許文献１】特開２０１５−２００１４３号公報
【発明の概要】
【発明が解決しようとする課題】
【０００４】
特許文献１に開示された定規を使用する場合、作業者は定規を使用して天井ボードに線を引いた後に、当該線を目視しながら天井ボードを切断する。この場合、定規を使用して線を引いたとしても、天井ボードの切断線が当該線からずれてしまうことにより、目標サイズの開口を天井ボードに設けることができないという課題があった。
【０００５】
この発明は、上記のような課題を解決するためになされたもので、目標サイズの開口を天井ボードに設けることを可能にするカッターガイドを得ることを目的とする。
【課題を解決するための手段】
【０００６】
この発明に係るカッターガイドは、１辺が所定の長さを有する正方形の板であるベース板と、ベース板に取り付けられた取手と、１辺の長さがベース板より短い正方形の板であり、外周を構成する辺がベース板の外周を構成する辺と平行になるようにベース板に固定され、ベース板の外周から所定の距離だけ内側となる位置に段差を形成するプレートとを備えるものである。
【発明の効果】
【０００７】
この発明によれば、目標サイズの開口を天井ボードに設けることを可能にするカッターガイドを得ることができる。
【図面の簡単な説明】
【０００８】
【図１】実施の形態１に係るカッターガイドの正面図である。
【図２】実施の形態１に係るカッターガイドの側面図である。
【図３】図３Ａは、一般的なカッターの外観を示す図である。図３Ｂは、図３ＡのＰ方向からカッターを見た場合の図である。
【図４】天井ボードに対するカッターガイドの位置合わせについて説明する図である。
【図５】カッターおよびカッターガイドを使用して天井ボードを切断する様子を示した断面図である。
【図６】実施の形態２に係るカッターガイドの正面図である。
【図７】実施の形態３に係るカッターガイドの正面図である。
【図８】実施の形態３に係るカッターガイドの側面図である。
【図９】図９Ａは、実施の形態３に係るカッターガイドを天井ボードに取り付けた様子を示す図である。図９Ｂは、実施の形態３に係るカッターガイドを天井ボードに取り付けた状態で回転させた様子を示す図である。
【発明を実施するための形態】
【０００９】
以下、この発明の実施の形態について図面を参照しながら詳細に説明する。
実施の形態１．
図１は、実施の形態１に係るカッターガイド１０１の正面図である。図２は、実施の形態１に係るカッターガイド１０１の側面図である。実施の形態１に係るカッターガイド１０１は、ベース板１１、取手２１およびプレート３１を備える。
【００１０】
天井に設置する点検口のサイズは、規格で定められている。当該サイズには、３００ｍｍ×３００ｍｍ、４５０ｍｍ×４５０ｍｍ、６００ｍｍ×６００ｍｍ、および９００ｍｍ×９００ｍｍ等がある。
【００１１】
以下、４５０ｍｍ×４５０ｍｍサイズの点検口を天井ボードに設置する場合について説明する。カッターガイド１０１は、当該サイズの点検口を天井ボードに設置する際に、開口を天井ボードに設けるために使用される。
【００１２】
ベース板１１は、１辺を約４５０ｍｍとする正方形の板である。ベース板１１は、アルミ複合板等で構成される。ベース板１１の厚さは約３ｍｍである。なお、ベース板１１の外周となる各辺に、寸法測定用の目盛りを形成してもよい。ベース板１１の中央には、取手２１が取り付けられる。
【００１３】
プレート３１は、１辺を約３７０ｍｍとする正方形の板である。プレート３１は、アルミ複合板等で構成される。プレート３１の厚さは約５ｍｍである。プレート３１は、ベース板１１に固定される。当該固定は、例えば接着である。プレート３１は、プレート３１の外周を構成する辺が、ベース板１１の外周を構成する辺と平行になるようにベース板１１に固定される。プレート３１の外周を構成する辺は、ベース板１１の外周から約４０ｍｍ内側の位置となる。
【００１４】
図２に示すように、プレート３１がベース板１１に固定されることにより厚さ方向に段差４１が形成される。段差４１には、後述するカッター２００のブレードカバー２０３が当接する。
【００１５】
ベース板１１は、取手２１が取り付けられた位置の両側に、第１の中空部１１ａおよび第２の中空部１１ｂを有する。また、プレート３１は、第３の中空部３１ａを有する。第３の中空部３１ａは、第１の中空部１１ａおよび第２の中空部１１ｂと連通する。第１の中空部１１ａ、第２の中空部１１ｂおよび第３の中空部３１ａは、カッターガイド１０１を天井ボードに取り付けた際に、作業者が天井ボードを視認するために設けられている。また、第１の中空部１１ａ、第２の中空部１１ｂおよび第３の中空部３１ａは、カッターガイド１０１を軽量化するために設けられている。
【００１６】
ベース板１１は、ベース板１１の四隅に、複数のケガキ用スリット１１ｃを有する。複数のケガキ用スリット１１ｃは、例えば、図１に示す８箇所に形成される。複数のケガキ用スリット１１ｃは、ベース板１１の外周を構成する辺から約１０ｍｍ内側となる位置に、所定の長さおよび所定の幅で形成される。複数のケガキ用スリット１１ｃは、点検口の蓋枠の枠内に収容されることになる天井ボードのサイズを、鉛筆等で記すために設けられている。
【００１７】
カッターガイド１０１は、ベース板１１およびプレート３１を同軸で貫通する複数のネジ穴６１を有する。複数のネジ穴６１は、例えば、図１に示す８箇所に設けられる。複数のネジ穴６１は、カッターガイド１０１を天井ボードに取り付けるために設けられた穴である。当該取り付けには、ネジ等が使用される。
【００１８】
ここで、天井ボードを切断する際に使用するカッター２００について説明する。図３Ａは、一般的なカッター２００の外観を示す図である。カッター２００は、本体部２０１、ブレード２０２、およびブレードカバー２０３等を備えて構成される。図３Ｂは、図３Ａに示すＰ方向からカッター２００を見た場合における、ブレード２０２およびブレードカバー２０３を示す図である。ブレードカバー２０３は、本体部２０１のブレード２０２側に取り付けられる長方形の板状部品である。ブレードカバー２０３は、ブレード２０２を挿通可能に構成されている。ブレードカバー２０３の短手方向における、ブレード２０２からブレードカバー２０３の長手方向側面までの寸法（図３Ｂ中の寸法Ｔ）は、約４０ｍｍである。
【００１９】
次に、カッターガイド１０１を使用し、作業者が開口を天井ボードに設ける手順について説明する。
（１）作業者は、天井の目地に合わせ、カッターガイド１０１の位置合わせを行う。図４は、天井ボードに対するカッターガイド１０１の位置合わせについて説明する図である。作業者は、複数のネジ穴６１のうち、各辺の中央に位置するネジ穴６１を目印とし、図４に示す線Ｃおよび線Ｄが、天井の目地と一致するようにカッターガイド１０１の位置合わせを行う。（２）作業者は、複数のネジ穴６１のネジ締めにより、カッターガイド１０１を天井ボードに取り付ける。このとき、複数のネジ穴６１のすべてをネジ締めするのではなく、対角となる２箇所、または、四隅の４箇所のネジ穴６１をネジ締めすればよい。（３）作業者は、ケガキ用スリット１１ｃを使用し、鉛筆等でケガキ線を引く。（４）作業者は、カッター２００におけるブレードカバー２０３の長手方向側面を、カッターガイド１０１の段差４１に当接させながらカッター２００を移動させることにより、天井ボードに切り込みを入れる。図５は、カッター２００およびカッターガイド１０１を使用して天井ボードを切断する様子を示した図である。このとき、カッターガイド１０１の外周となる４辺それぞれに沿って切り込みを入れ、かつ、各切り込みは連続させない。（５）作業者は、複数のネジ穴６１のネジ締めを解消し、カッターガイド１０１を天井ボードから外す。（６）作業者は、カッター２００を使用して各切り込みを連続させ、開口を天井ボードに設ける。なお、作業者は、切断した側の天井ボードをケガキ線に沿ってカッター２００で切断し、点検口の蓋に用いる天井ボードを製作する。
【００２０】
上記では、４５０ｍｍ×４５０ｍｍサイズの点検口に対応する開口を設ける場合に使用するカッターガイド１０１について説明したが、カッターガイド１０１は、点検口のサイズに合わせて適宜構成すればよい。
例えば、６００ｍｍ×６００ｍｍサイズの点検口に対応する開口を設ける場合には、１辺が約６００ｍｍの正方形のベース板１１と、１辺が約５２０ｍｍの正方形のプレート３１とによりカッターガイド１０１を構成すればよい。
【００２１】
また、上記では、カッター２００の寸法Ｔが約４０ｍｍである場合について説明したが、寸法Ｔは、カッター２００の製造メーカによって異なる。そのため、プレート３１のサイズは、使用するカッター２００の寸法Ｔに合わせて決定すればよい。また、プレート３１をベース板１１に着脱可能に構成してもよい。その場合、カッター２００の製造メーカに合わせて、プレート３１を交換して使用することができる。
【００２２】
また、上記では、プレート３１をベース板１１に固定することで、段差４１を形成するものとしたが、プレート３１とベース板１１とを１部材で構成し、当該部材に段差４１が形成されるように構成してもよい。
【００２３】
また、ベース板１１およびプレート３１を、例えば、透明の強化プラスチックで構成してもよい。その場合、カッターガイド１０１を天井ボードに取り付けた際に、作業者が天井ボードをより視認しやすくなる。
【００２４】
以上のように、実施の形態１に係るカッターガイド１０１は、１辺が所定の長さを有する正方形の板であるベース板１１と、ベース板１１に取り付けられた取手２１と、１辺の長さがベース板１１より短い正方形の板であり、外周を構成する辺がベース板１１の外周を構成する辺と平行になるようにベース板１１に固定され、ベース板１１の外周から所定の距離だけ内側となる位置に段差を形成するプレート３１とを備える。このため、目標サイズの開口を天井ボードに設けることを可能にするカッターガイドを得ることができる。
【００２５】
また、カッター２００をカッターガイド１０１に当接させながら天井ボードを切断することで、切断線の仕上がりを直線とすることができる。
【００２６】
また、カッター２００をカッターガイド１０１に当接させながら天井ボードを切断することで、作業者の技量によって、開口のサイズがばらつくのを防ぐことができる。
【００２７】
また、カッター２００をカッターガイド１０１に当接させながら天井ボードを切断することで、天井ボードが汚れるのを防ぐことができる。
【００２８】
また、カッター２００をカッターガイド１０１に当接させながら天井ボードを切断することで、従来のような開口用のケガキ線を引く作業を省略することができ、作業の効率を上げることができる。
【００２９】
また、開口を設ける作業と同時に、ケガキ用スリット１１ｃを使用し、点検口の蓋枠の枠内に収容されることになる天井ボードのケガキ線を引くことができる。これにより、点検口設置作業の効率を上げることができる。
【００３０】
実施の形態２．
実施の形態２では、３００ｍｍ×３００ｍｍサイズの点検口を天井ボードに設置する場合の構成例について説明する。カッターガイド１０２は、当該サイズの点検口を天井ボードに設置する際に、開口を天井ボードに設けるために使用される。なお、実施の形態１と同様の構成については、重複する説明を省略する。
【００３１】
図６は、実施の形態２に係るカッターガイド１０２の正面図である。実施の形態２に係るカッターガイド１０２は、ベース板１２、ケガキ用スリット１２ａ、取手２２、プレート３２、複数のネジ穴６２等を備えて構成される。実施の形態２に係るカッターガイド１０２は、実施の形態１に係るカッターガイド１０１に、第１のスリット部７０および第２のスリット部８０が設けられたものである。
【００３２】
図６に示すように、ベース板１２の外周を構成する辺のうち、互いに直交する２辺を辺Ｘと辺Ｙとする。また、辺Ｘと辺Ｙとの交点を点Ｚとする。第１のスリット部７０は、点Ｚから約３００ｍｍとなる位置の辺Ｙに、辺Ｘと平行に形成されたスリット７１を有する。スリット７１の長さは約１００ｍｍであり、スリット７１の幅は約３ｍｍである。また、第１のスリット部７０は、スリット７１に対応する位置のプレート３２に形成された、コの字型の切り欠き部３２ａを有する。切り欠き部３２ａは、スリット７１の幅方向両側であり、スリット７１から所定の距離だけ離れた位置に段差４２ａを形成する。切り欠き部３２ａは、段差４２ａがスリット７１から約４０ｍｍの位置となるように形成される。
【００３３】
第２のスリット部８０は、点Ｚから約３００ｍｍとなる位置の辺Ｘに、辺Ｙと平行に形成されたスリット８１を有する。スリット８１の長さは約１００ｍｍであり、スリット８１の幅は約３ｍｍである。また、第２のスリット部８０は、スリット８１に対応する位置のプレート３２に形成された、コの字型の切り欠き部３２ｂを有する。切り欠き部３２ｂは、スリット８１の幅方向両側であり、スリット８１から所定の距離だけ離れた位置に段差４２ｂを形成する。切り欠き部３２ｂは、段差４２ｂがスリット８１から約４０ｍｍの位置となるように形成される。
【００３４】
次に、３００ｍｍ×３００ｍｍサイズの点検口を天井ボードに設置する場合に、作業者がカッターガイド１０２を使用し、開口を天井ボードに設ける手順について説明する。
（１）作業者は、複数のネジ穴６２のネジ締めにより、カッターガイド１０２を天井ボードに取り付ける。このとき、複数のネジ穴６２のすべてをネジ締めするのではなく、対角となる２箇所、または、四隅の４箇所のネジ穴６１をネジ締めすればよい。（２）作業者は、カッター２００におけるブレードカバー２０３の長手方向側面を、カッターガイド１０２の段差４２ａ，４２ｂに当接させながらカッター２００を移動させることにより、天井ボードに切り込みを入れる。（３）作業者は、複数のネジ穴６２のネジ締めを解消し、カッターガイド１０２を時計回りに９０°回転させ、再び、複数のネジ穴６２のネジ締めにより、カッターガイド１０２を天井ボードに取り付ける。このとき作業者は、例えば、カッターガイド１０２の点Ｚをスリット７１により形成された切り込みの端点に合わせる。（４）作業者は（２）と同じ作業を行う。（５）作業者は、複数のネジ穴６２のネジ締めを解消し、カッターガイド１０２を天井ボードから外す。（６）作業者は、カッター２００を使用して各切り込みを連続させ、開口を天井ボードに設ける。
【００３５】
以上のように、実施の形態２に係るカッターガイド１０２は、実施の形態１に係るカッターガイド１０１に、第１のスリット部７０および第２のスリット部８０を設けた。このため、サイズの異なる２つの開口を設ける作業に使用することができ、作業の効率化およびコストの削減を実現することができる。
【００３６】
実施の形態３．
実施の形態３では、９００ｍｍ×９００ｍｍサイズの点検口を天井ボードに設置する場合の構成例について説明する。カッターガイド１０３は、当該サイズの点検口を天井ボードに設置する際に、開口を天井ボードに設けるために使用される。なお、実施の形態１と同様の構成については、重複する説明を省略する。
【００３７】
図７は、実施の形態３に係るカッターガイド１０３の正面図である。図８は、実施の形態３に係るカッターガイド１０３の側面図である。実施の形態３に係るカッターガイド１０３は、ベース板１３、取手２３、プレート３３、および複数のネジ穴６３ａ〜６３ｆ等を備えて構成される。
【００３８】
ベース板１３は、長手方向の辺を約９００ｍｍとし、短手方向の辺を約４８０ｍｍとする長方形の板である。プレート３３は、長手方向の辺を約８２０ｍｍとし、短手方向の辺を約４４０ｍｍとする長方形の板である。プレート３３は、ベース板１３に固定される。プレート３３は、長手方向の一方の辺の側面が、ベース板１１の長手方向の一方の辺の側面と同一面（以下、段差非形成面Ｅという）となるように、ベース板１３に固定される。プレート３３は、外周を構成する４辺のうち、段差非形成面Ｅとなる辺を除く３辺の位置が、ベース板１３の外周から約４０ｍｍ内側の位置となるようにベース板１３に固定される。
【００３９】
図８に示すように、プレート３３がベース板１３に固定されることにより厚さ方向に段差４３が形成される。
【００４０】
ベース板１３は、取手２３が取り付けられた位置の両側に、第１の中空部１３ａおよび第２の中空部１３ｂを有する。また、プレート３３は、第３の中空部３３ａを有する。第３の中空部３３ａは、第１の中空部１３ａおよび第２の中空部１３ｂと連通する。
【００４１】
カッターガイド１０３は、ベース板１３およびプレート３３を同軸で貫通する複数のネジ穴６３ａ〜６３ｆを有する。複数のネジ穴６３ａ〜６３ｆは、例えば、図７に示す６箇所に設けられる。複数のネジ穴６３ａ〜６３ｆのうちの１箇所であるネジ穴６３ｅは、回転軸穴でもある。図７に示すように、回転軸穴６３ｅは、カッターガイド１０３の長手方向中央となる位置であって、段差非形成面Ｅ側の、段差非形成面Ｅ側からの短手方向寸法が３０ｍｍとなる位置に設けられる。
【００４２】
次に、９００ｍｍ×９００ｍｍサイズの点検口を天井ボードに設置する場合に作業者が、カッターガイド１０３を使用し、開口を天井ボードに設ける手順について説明する。
（１）作業者は、天井の目地に合わせ、カッターガイド１０３の位置合わせを行う。（２）作業者は、複数のネジ穴６３ａ，６３ｃ，６３ｄ，６３ｅ，６３ｆのネジ締めにより、カッターガイド１０３を天井ボードに取り付ける。図９Ａは、カッターガイド１０３を天井ボードに取り付けた様子を示す図（ネジは不図示）である。（３）作業者は、カッター２００におけるブレードカバー２０３の長手方向側面を、カッターガイド１０３の段差４３に当接させながらカッター２００を移動させることにより、天井ボードに切り込みを入れる。このとき、カッターガイド１０３の外周を構成する辺のうち、段差非形成面Ｅとなる辺を除く３辺のそれぞれに沿って切り込みを入れ、かつ、各切り込みは連続させない。（４）作業者は、回転軸穴６３ｅを除くネジ穴６３ａ，６１ｃ，６３ｄ，６３ｆのネジ締めを解消し、回転軸穴６３ｅを中心にカッターガイド１０３を１８０°回転させる。（５）作業者は、複数のネジ穴６３ａ，６１ｃ，６３ｄ，６３ｆのネジ締めにより、カッターガイド１０３を天井ボードに取り付ける。図９Ｂは、カッターガイド１０３を天井ボードに取り付けた状態で回転させた様子を示す図（ネジは不図示）である。（６）作業者は（３）と同じ作業を行う。（７）作業者は、複数のネジ穴６３ａ，６３ｃ，６３ｄ，６３ｅ，６３ｆのネジ締めを解消し、カッターガイド１０３を天井ボードから外す。（８）作業者は、カッター２００を使用して各切り込みを連続させ、開口を天井ボードに設ける。
【００４３】
以上のように、実施の形態３に係るカッターガイド１０３は、長手方向の辺および短手方向の辺が、それぞれ所定の長さを有する長方形の板であるベース板１３と、ベース板１３に取り付けられた取手２３と、長手方向の辺および短手方向の辺が、それぞれベース板１３より短い長方形の板であり、長手方向の１辺の側面が、ベース板の長手方向の１辺の側面と同一面となるようにベース板１３に固定され、同一面となる１辺以外の３辺が、ベース板１３の外周から所定の距離だけ内側となる位置に段差を形成するプレート３３とを備える。このため、目標サイズの開口を天井ボードに設けることを可能にするカッターガイドを得ることができる。
【００４４】
また、回転軸穴６３ｅを設け、当該回転軸穴６３ｅを中心にカッターガイド１０３を１８０°回転させて開口を設けることができるように構成した。これにより、９００ｍｍ×９００ｍｍサイズの点検口を天井ボードに設置する場合であっても、１辺を約９００ｍｍとする正方形のベース板を使用する必要がなく、運搬作業の効率化を実現することができる。また、材消費の低減を実現することができる。
【００４５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４６】
１１，１２，１３  ベース板
１１ａ，１３ａ  第１の中空部
１１ｂ，１３ｂ  第２の中空部
１１ｃ，１２ａ  ケガキ用スリット
２１，２２，２３  取手
３１，３２，３３  プレート
３１ａ，３３ａ  第３の中空部
３２ａ，３２ｂ  切り欠き部
４１，４２ａ，４２ｂ，４３  段差
６１，６２，６３ａ〜６３ｄ，６３ｆ  ネジ穴
６３ｅ  ネジ穴（回転軸穴）
７０  第１のスリット部
７１  スリット
８０  第２のスリット部
８１  スリット
１０１，１０２，１０３  カッターガイド
２００  カッター
２０１  本体
２０２  ブレード
２０３  ブレードカバー
【図１】
2018123605.tif 000003
【図２】
2018123605.tif 000004
【図３】
2018123605.tif 000005
【図４】
2018123605.tif 000006
【図５】
2018123605.tif 000007
【図６】
2018123605.tif 000008
【図７】
2018123605.tif 000009
【図８】
2018123605.tif 000010
【図９】
2018123605.tif 000011
【手続補正書】
【提出日】平成30年4月27日(2018.4.27)
【手続補正１】
【補正対象書類名】明細書
【補正対象項目名】０００６
【補正方法】変更
【補正の内容】
【０００６】
この発明に係るカッターガイドは、１辺が所定の長さを有する正方形の板であるベース板と、ベース板に取り付けられた取手と、１辺の長さがベース板より短い正方形の板であり、外周を構成する辺がベース板の外周を構成する辺と平行になるようにベース板に固定され、ベース板の外周から所定の距離だけ内側となる位置に段差を形成するプレートとを備え、ベース板は、ベース板の外周を構成する辺のうち、互いに直交する２辺のそれぞれに、当該２辺の交点から所定の距離だけ離れた位置に形成されたスリットを有し、プレートは、スリットの幅方向両側であり、スリットから所定の距離だけ離れた位置に段差を形成する切り欠き部を有するものである。
【手続補正２】
【補正対象書類名】特許請求の範囲
【補正対象項目名】全文
【補正方法】変更
【補正の内容】
【特許請求の範囲】
【請求項１】
１辺が所定の長さを有する正方形の板であるベース板と、
前記ベース板に取り付けられた取手と、
１辺の長さが前記ベース板より短い正方形の板であり、外周を構成する辺が前記ベース板の外周を構成する辺と平行になるように前記ベース板に固定され、前記ベース板の外周から所定の距離だけ内側となる位置に段差を形成するプレートとを備え、
前記ベース板は、前記ベース板の外周を構成する辺のうち、互いに直交する２辺のそれぞれに、当該２辺の交点から所定の距離だけ離れた位置に形成されたスリットを有し、
前記プレートは、前記スリットの幅方向両側であり、前記スリットから所定の距離だけ離れた位置に段差を形成する切り欠き部を有する
ことを特徴とするカッターガイド。
【請求項２】
前記ベース板および前記プレートは、前記ベース板および前記プレートを同軸で貫通する複数のネジ穴を有することを特徴とする請求項１記載のカッターガイド。
【請求項３】
前記ベース板は、前記ベース板の四隅における、前記ベース板の外周から所定の距離だけ内側となる位置に形成されたケガキ用スリットを有することを特徴とする請求項１記載のカッターガイド。
【請求項４】
長手方向の辺および短手方向の辺が、それぞれ所定の長さを有する長方形の板であるベース板と、
前記ベース板に取り付けられた取手と、
長手方向の辺および短手方向の辺が、それぞれ前記ベース板より短い長方形の板であり、長手方向の１辺の側面が、前記ベース板の長手方向の１辺の側面と同一面となるように前記ベース板に固定され、前記同一面となる１辺以外の３辺が、前記ベース板の外周から所定の距離だけ内側となる位置に段差を形成するプレートと
を備えたカッターガイド。
【請求項５】
前記ベース板および前記プレートは、前記ベース板および前記プレートを同軸で貫通する複数のネジ穴を有し、前記複数のネジ穴のうち、前記ベース板および前記プレートの長手方向中央となる位置であって、前記同一面側に位置するネジ穴を回転軸穴とすることを特徴とする請求項４記載のカッターガイド。
【請求項６】
前記ベース板および前記プレートは、１部材で構成されていることを特徴とする請求項１または請求項４記載のカッターガイド。
【請求項７】
前記ベース板および前記プレートはそれぞれ、互いに連通する中空部を有することを特徴とする請求項１または請求項４記載のカッターガイド。